(57)【要約】【課題】            計時器ムーブメントを提供する。【解決手段】  本発明は、計時器ムーブメントに関し、好ましくは針回し用巻真（２８）がムーブメントの長手方向に向けられ、ムーブメントの内側に比較的短い部分を有する小型の計時器ムーブメントに関する。おしどり７は、ムーブメントのフレーム（１、２７、３５、７６）に枢動可能に装着され、フレームと相互に作用する枢動部材（１２）と、そしてまた、針回し用巻真（２８）と相互に作用するように設計された連結部材（１０）を保持し、その並進移動を制限する。枢動部材は、引き抜きねじ（１２）の形で製作されることが好ましく、おしどり（７）の両側に配置され、フレーム（１、２７）と嵌合する第１および第２の枢軸（７５、４２）を備える。針回し用巻真（２８）は、竜頭ピニオン（３４）と永久に捕捉するように嵌合され、竜頭ピニオンの両側に配置され、フレーム（２７、３５）に嵌合する第１および第２の枢軸も備える組立品を形成する。【選択図】          図１
2006284585.tif 000002
【特許請求の範囲】
【請求項１】
特に、地板を備えるフレーム（１、２７、３５、７６）と、
時間を表示することができる手段と、
少なくとも２つの軸方向の位置の間の第１の軸に沿った並進および前記軸を中心とした回転において、前記フレーム（２７）に可動に装着され、時間を表示することができる前記手段に運動学的に接続されることができる針回し用巻真（２８）を備える針位置合わせ機構と、を備える計時器ムーブメントであって、
前記フレームに固定される前記地板とは別個に第１および第２の支持要素（２７、３５）を備え、前記第１および第２の支持要素（２７、３５）の間に、前記針回し用巻真（２８）による回転において一体化する竜頭ピニオン（３４）があり、前記第１および第２の支持要素（２７、３５）はそれぞれ前記竜頭ピニオン（３４）および前記針回し用巻真（２８）によって形成される組立品用の第１および第２の枢軸（２８ａ、３４ｂ）を画定することを特徴とする計時器ムーブメント。
【請求項２】
前記竜頭ピニオン（３４）は、前記針回し用巻真（２８）のスクエア（３３）による回転において嵌合するチューブ（３４ｂ）を備え、前記チューブはまた、前記第２の支持要素（３５）において枢動するために配置され、前記針回し用巻真（２８）は前記第１の支持要素（２７）において枢動するビード（２８ａ）を有する請求項１に記載の計時器ムーブメント。
【請求項３】
前記フレーム（１）に枢動可能に装着されるおしどり（７）を備え、
前記フレームと相互に作用する枢動部材（１２）を保持する板（８、１４、１５）と、
その並進移動を制限するために前記針回し用巻真（２８）と相互に作用するように設計され、前記針回し用巻真（２８）が並進において移動するときに、前記おしどり（７）の枢動を可能にするように配置される連結部材（１０）と、を備え、
前記枢動部材（１２）が前記板の両側に配置され、前記フレーム（１、２７）において嵌合する第１および第２の枢軸（７５、４２）を備えることを特徴とする請求項１または２に記載の計時器ムーブメント。
【請求項４】
前記枢動部材は、引き抜きねじ（１２）であり、前記おしどり板（８、１４、１５）の第１の側に配置される第１の円筒形部分（７５）が、前記第１の枢軸を形成し、前記引き抜きねじはまた、前記板にねじ込まれるねじ山部分（４１）を備え、その後に前記板の第２の側に配置される円筒形の第２の部分（４２）が前記第２の枢軸を形成することを特徴とする請求項３に記載の計時器ムーブメント。
【請求項５】
香箱（６７）のぜんまいを巻くための手段（６８）を備え、前記針位置合わせ機構が第１の位置と第２の位置との間に、前記フレーム（１）に枢動可能に装着されるロッカ（１９）を備え、前記ロッカが前記おしどり（７）によって制御され、順に交互に針位置合わせ手段および前記巻上げ手段を作動することを特徴とする請求項３または４に記載の計時器ムーブメント。
【請求項６】
前記連結部材は、前記おしどり（７）の第１の端部（９）付近に配置される第１の植込みボルト（１０）であり、前記おしどり（７）は前記おしどりの第２の端部（１６）付近に配置される第２の植込みボルト（１７）を備えるが、同時に前記ロッカ（１９）の溝（１８）において嵌合し、前記ロッカ（１９）を制御することを特徴とする請求項５に記載の計時器ムーブメント。
【請求項７】
前記第１の植込みボルト（１０）は前記おしどり板（８）の第１の側に配置されるが、同時に前記第２の植込みボルト（１７）は前記板の第２の側に配置されることを特徴とする請求項６に記載のムーブメント。
【請求項８】
前記ロッカ（１９）は、前記フレームの領域で部分的に嵌合する少なくとも１つのアーム（７３）によって、枢軸の方向において前記フレーム（１）に固定された状態で維持されるが、同時に前記枢軸に垂直な方向に対してのみ移動自在であることを特徴とする請求項５〜７のいずれか一項に記載の計時器ムーブメント。
【請求項９】
ガラスによって閉じられた、請求項１〜８のいずれか一項に記載のムーブメントが収容されるケースを備え、前記ムーブメントは、そのフレーム（１）が仕上げ加工組立品および時間表示手段を支持し、前記ケースに接続される２つの端部分（２、３）によって画定される中央部分であって、６時／中央軸に向けられ、その幅の少なくとも３倍もの長さの中央部分と、６時または中央のいずれかに位置する前記針回し用巻真（２８）の一端に配置される針回し用の竜頭と、を有するような態様で配置される計時器部品。
【発明の詳細な説明】
【技術分野】
【０００１】
本発明は、計時器ムーブメントに関し、特にその針位置合わせ機構の構成要素に関する。
【背景技術】
【０００２】
時計、さらに詳細には腕時計に用いられる時計ムーブメントでは、針位置合わせは針回し用巻真によって実現される。この針回し用巻真は一般に、おしどりによって、地板の凹部にあるムーブメントのフレームの所定の位置に保持される。おしどりは、針回し用巻真が抜かれる位置にあるとき、時計の針位置合わせを可能にする機構の他の構成要素の取り替
えにも備える。
【０００３】
これらの機能を確実に行うことができるようにするために、針回し用巻真がムーブメントのフレームにおいて適切に案内されることが必要であり、おしどりがうまく着座し、おしどりによって針回し用巻真の十分な保持を保証することが必要である。
【０００４】
本出願人名義で１９８１年５月２９日に付与された（特許文献１）に記載されるムーブメントなどのある種のムーブメントでは、上述の解決策は、針回し用巻真の十分な案内および任意のおしどりの適切な着座を妨げる構造的な制約条件のために適用することができない。このムーブメントはバゲット形態であり、小さな棒の形の３つの狭い受を有する。この３つの狭い受は、重ねられて、端部を通って配置されるねじによって組立てられる。ここでは、上記の機能に備えるための空間が欠けている。したがって、このムーブメントは針位置合わせ機構を備え、針回し用巻真がケースの底部に配置され、その軸が針の軸に平行である。この解決策では、計時器を巻くため、および針の位置合わせをするために、腕から計時器を外す必要がある。
【０００５】
【特許文献１】スイス特許第６２３１９２号明細書
【発明の開示】
【発明が解決しようとする課題】
【０００６】
本発明の主な目的は、別法として、その厚さ以外の少なくとも１つの方向においてコンパクトであり、計時器が手首に巻きつけられるときに手が届きやすい針位置合わせ用の竜頭を備える計時器ムーブメントを提案することによって、上述した従来技術の欠点を相殺することにある。
【課題を解決するための手段】
【０００７】
そのためには、本発明は、特にそのようなムーブメント、好ましくはバゲット型のムーブメントに関し、そのようなムーブメントでは、針回し用巻真がムーブメントの長手方向に向けられ、ムーブメント内部に比較的短い部分を有する。したがって、ムーブメントが時計ケースに装着されるとき、針位置合わせ用の竜頭はケースの側面に配置されることから、時計が手首に巻きつけられている間に手が届きやすい。
【０００８】
本発明の他の目的は、フレーム要素（地板または受）のサイズが小さいことにもかかわらず、針位置合わせ機構の要素の優れた安定性を保証することにある。
【０００９】
特に、針回し用巻真およびそのおしどりの場合と同様に、針位置合わせ機構の可動部品の移動において、およびその機能がこれらの可動部品を案内または作動する部品の位置合わせにおいて、高精度を実現することが重要である。
【００１０】
通例、おしどりは主に地板の上に載っている板、すなわちダイヤルサイドを備え、枢動部材、一般に地板を通って配置されるおしどり用のねじによって所定の位置に保持され、その頭部は受側に位置決めされる。ねじの軸部はおしどり板にあるねじ穴と連係するねじ山を備え、ねじはおしどりの枢軸を画定する。おしどりの第１の端部は巻上げ用巻真の溝に嵌合する植込みボルトを備え、巻上げ用巻真をムーブメントにおける所定の位置に保持することができるようになっている。おしどりの第２の端部は、鼓車の移動を制御するロッカに作用する。
【００１１】
その押込み位置で、巻上げ用巻真、または針回し用巻真により、ぜんまいを回転移動によって巻くことができる。巻真が引き抜かれるとき、巻上げ用巻真はおしどりの第１の端部を共に運ぶ。おしどりの第１の端部は、おしどり用のねじで枢動し、ロッカに作用し、吉車を移動させる。ムーブメントの針の位置合わせをするために、針回し用巻真を回転す
ることができる。
【００１２】
しかし、この従来の構造は、特に、地板が小さく、針回し用巻真またはおしどりを支持するのに小さな表面積を提供するだけである場合には、針位置合わせ機構の構成要素を保持するのに適していない。
【００１３】
したがって、本発明はさらに正確には、上述した種類の計時器ムーブメントに関し、この計時器ムーブメントは、地板とは異なり、フレームに固着され、第１および第２の支持要素を備え、これらの支持要素の間に針回し用巻真の回転と一体となっている竜頭ピニオンがあり、第１および第２の支持要素はそれぞれ、竜頭ピニオンおよび針回し用巻真によって形成される組立品のための第１および第２の枢軸を画定することを特徴とする。
【００１４】
これらの特性によって、針回し用巻真の位置決めが改善され、特に、その軸方向に移動時に巻く機能と針位置合わせ機能との間の切り替えの信頼性を保証する。
【００１５】
本発明はまた、針回し用巻真の移動中におしどりの安定性を向上することができる補足手段を設けることが好ましい。
【００１６】
本発明の他の特性および利点は、限定しない例によって提供される添付図面を参照すれば、好ましい実施形態の以下の詳細な説明を読むことにより、さらに明白となるであろう。
【発明を実施するための最良の形態】
【００１７】
図１は、分解立体図において、本発明による針位置合わせ機構を備えた計時器ムーブメントの一部を示す。このムーブメントは地板１を備え、地板１は細長い一般的な形態を有し、中央部分が第１の横端部分２および第２の横端部分３によって画定され、その幅が組立てられるムーブメントの幅に対応する。
【００１８】
第１の端部分２は、ムーブメントの針位置合わせ機構の構成要素を組立てるための２つのポスト４、５を備える。
【００１９】
特に、第１の端部分２は、２つのポスト４および５の間に凹部６を有し、巻き用おしどり７が配置される。
【００２０】
おしどり７は、第１の部分８および第２の部分１５から形成される板を備える。部分８は、第１の自由端９に第１の針回し用巻真の植込みボルト１０を保持する。部分８は、おしどり用のねじ１２のねじ山部分と相互に作用するように設計されたねじ穴１１と、第１の植込みボルト１０から一定の距離にあり、湾曲タング１４に続くエルボ１３と、を有する。第２のおしどり部分１５は、第１の部分より薄く、第２の植込みボルト１７を保持する第２の自由端１６までタング１４の延長部に延在する。
【００２１】
おしどり７が地板の所定の位置にある場合には、第２の植込みボルト１７は、地板１のダイヤルサイド上に位置しているロッカ１９の溝１８に嵌合する。これについては、図３に関連してさらに詳細に説明する。
【００２２】
裏押さえ２０は、第１の主穴２１によってポスト４に嵌挿される。地板１の補助ポスト２２が設けられ、裏押さえの第２の穴２３と相互に作用する。裏押さえ２０は、おしどりを位置合わせするために、おしどりの湾曲タング１４と相互に作用するように設計されたノーズ２４に終わる湾曲した細長い形態を有する。
【００２３】
ばね２５はまたポスト４および２２に嵌挿され、ノーズ２６によって香箱の爪車と作用する（図３で分かる）。
【００２４】
特に、ポスト４および５と相互に作用するように適合された２つの穴２９を備えた中間受２７が、地板１に装着される。この種の組立品により、地板に関連して中間受の正確な位置決めおよび十分な安定性を保証することを可能にする。この受は、円筒形の一般的な形状であり、地板に対向するその面に出てくるムーブメントの長手方向に平行な軸を備える穴３０を備える（図４ａで分かる）。穴３０は、巻上げ用巻真または針回し用巻真２８を収容し、位置決めするように設計され、穴３０の直径よりわずかに小さい直径を有し、その全長を分割するリング３１が介在している。針回し用巻真２８は、チューブ３１と相互に作用する円筒形部分２８ａを備え、受２７に対する枢動および並進移動を可能にする。針回し用巻真２８は、巻き機構の組立て時に、おしどり７の植込みボルト１０が嵌合する溝３２を有する。
【００２５】
スクエア３３が、円筒形部分２８ａの後に形成され、ムーブメントに位置する針回し用巻真２８の端部まで延在する。巻上げ用巻真のスクエア３３と相互に作用するように適合された穴３４ａを有する竜頭ピニオン３４は、巻上げ用巻真２８に装着されている間に、中間受２７に隣接して配置される。さらに正確に言えば、スクエア３３および穴３４ａは、針回し用巻真２８の回転が歯車３４を回転し、他方に対する一方の並進移動を可能にするように配置される。
【００２６】
中間受２７に隣接する補足要素３５が設けられ、それぞれの位置における針回し用巻真２８および竜頭ピニオン３４の保持を保証する。補足要素３５は、内側にスクエア３３が嵌合する穴３６を備える。竜頭ピニオン３４は、受２７と要素３５との間の空間で軸方向に保持される。要素３５はまた、中間受２７を部分的に覆うように設計されたラグ３７を有する。これらのラグは地板１の方向に延在するチューブ３８を保持し、チューブ３８は中間受２７の穴２９に嵌合し、ポスト４および５を支持する。チューブ３８は、ポスト４および５によって中間受２７および地板１の両方に対して、補足要素３５の十分な位置決めを保証することができる。
【００２７】
２つのねじ３９は、補足要素３５のチューブ３８に挿入され、タップ付ポスト４および５と相互に作用し、ちょうど説明した要素と共に組立てられる。
【００２８】
この構造によって、ムーブメントに配置される部分が通常の構造に比べて比較的短い場合であっても、針回し用巻真はムーブメントに効果的に保持される。
【００２９】
おしどり用のねじ１２は、中間受２７に形成される穴４０の中に収容され、おしどり７の回転軸を画定する。おしどり用のねじ１２には、周知の態様でおしどりの穴１１と相互に作用するように設計されたねじ山４１が設けられる。
【００３０】
おしどり用のねじ１２はまた、ねじ山４１を越えて延在し、図４ａおよび図４ｂに関してさらに詳細に述べるように、地板１に作成された穴４３の中に挿入されるように設計された自由端４２を有する。
【００３１】
さらに、その２つの端部２および３の間に、地板１は、複数の位置、複数の穴、従来の時計ムーブメント構成要素を保持するように設計された座面と、を有するが、これらは本発明の手段に直接関係しないため、本発明の説明で詳細に説明されない。
【００３２】
図２は、その構成要素が共に組立てられるときに、図１に示されるムーブメントの一部の平面図を示す。
【００３３】
地板１は、ムーブメントの香箱を収容するように設計され、その第１の端部２付近に設けられた凹部５０を備えることが示されている。
【００３４】
ロッカ１９は、針の位置合わせを行い、この図に示される位置で第２の小鉄車５２と嵌合するための第１の小鉄車５１を保持する。第２の小鉄車５２自体は、第３の小鉄車５３と嵌合する。第２の小鉄車５２および第３の小鉄車５３は、香箱の皿穴５０の底部に配置される。
【００３５】
ばね２５を位置決めするための小板５４もまた、示されており、ばね２５をムーブメントの厚さの方向に保持することができる。
【００３６】
図２では、ぜんまいを巻く動作中、ロッカ１９が香箱の爪車と噛合するように設計された巻上げ小鉄車５５（図３で分かる）を保持することも示されている。
【００３７】
チューブ５６（この図では一端のみが見える）は、ロッカ１９用の枢軸を画定するために、地板１を通過するように配置される。
【００３８】
図３は、本発明の好ましい実施形態による完成したムーブメントのダイヤルサイドの平面図である。
【００３９】
この図は、地板１の第２の端部３から第１の端部２の方向において、その天府ぜんまい６１を備えた天府６０、がんぎ車６２、日の裏車６３、減速車６４、筒車６５、二番車６６、香箱６７および香箱の爪車６８を示している。
【００４０】
さらに、ダイヤルサイドに配置される部材の説明に関連して、ロッカ１９の構造および機能がこの図ではさらに明確に示される。
【００４１】
ロッカが枢動するチューブ５６と同軸の丸穴車６９が、竜頭ピニオン３４と永久に捕捉するように配置される。さらに、丸穴車６９は第１の針位置合わせ車７０と永久に噛み合い、第１の針位置合わせ車７０は第２の針位置合わせ車７１を共に運ぶ。第２の中間針位置合わせ車７１は、針の位置合わせをするために第１の小鉄車５１と同軸に装着され、第１の小鉄車５１に固定される。第１の小鉄車５１は、図３に関して既に述べたように、ロッカの受側に配置される。
【００４２】
丸穴車６９はまた、巻上げ小鉄車５５と同軸に装着され、巻上げ小鉄車５５と固定される中間車７２永久に噛み合う。巻上げ小鉄車５５は、ロッカの受側に配置される。
【００４３】
ロッカ１９は、その枢軸にから一定の距離で枢軸の両側にあり、地板１の第１の端部２まで延在する２つのアーム７３を有する。アーム７３の自由端（図示せず）のそれぞれは、特に針位置合わせまたは巻上げ位置のいずれかにあるときに、ロッカ１９の安定性の向上および案内のために、小板７４によって地板１の溝（図示せず）に保持される。
【００４４】
図４ａおよび４ｂは、ちょうど示したばかりのムーブメントの構造上の詳細な断面図を示しており、これらの図により、ロッカ１９の枢動がおしどり７の特殊な構造によってどのように制御されるかについてよりよく理解することができる。
【００４５】
図４ａは、地板１の正中面に垂直であり、図１にＬ１で参照される線を含む平面における横断面図を示す。おしどり７の第１の部分８はこの図において明確に示されている。おしどり用のねじ１２は、この場合には機能的な位置、すなわち中間受２７の穴４０に挿入され、次におしどり７の穴１１にねじ込まれるときを示している。ねじは、おしどりが中間受２７に収容されるねじの円筒部品７５に当接するまでおしどりにねじ込まれる。この構造では、おしどりは、地板１の正中面に実質的に平行な方向において、おしどりと地板の凹部６との間の間隙を画定するように位置決めされる。したがって、おしどりがその機能的な位置にあるときには、おしどりの第１の部分８は地板によって支持されていない。さらに、ねじ込みが完了すると、おしどりの植込みボルト１０は巻上げ用巻真２８の溝３２の内側の所定の位置にある。したがって、周知の態様において、おしどりの植込みボルトは、その軸方向における巻上げ用巻真の移動によって共に運ばれ、おしどり用のねじ１２におけるおしどりの枢動を生じる。図１の説明に関連して前述したように、おしどり用のねじ１２は、枢軸を形成するために、ねじ山４１を越えて延在し、地板１の穴４３に収容される自由端４２を有する。本発明によるおしどり用のねじ１２のこの具体的な特性により、従来技術の周知の構造に比べると、おしどり用のねじ１２の保持を向上し、地板１に対するおしどり７の安定性および位置決めを向上することができる。
【００４６】
そのような特性は、本願明細書に記載される種類のムーブメントに実装される場合には、さらに一層有利である。実際に、地板１は、コンパクトであることによって、従来のムーブメントとは異なり、おしどり板の大部分を支持することができない。したがって、おしどり用のねじ１２の安定性の向上により、地板１によるおしどり７の保持の度合いが小さいことを補償する。
【００４７】
図４ａにおいて、受７６は中間受２７に装着されることが示されており、この受は上述した特許文献１に記載されたものと類似の態様で、地板１の第１の端部２と第２の端部３との間に延在している。受７６は２つのねじ７７によって中間受に固定される。一方のねじのみが図４ａに見てとることができる。
【００４８】
受７６はおしどり用のねじ１２の頭部に接近するために、穴７８を備え、異なる直径の２つの連続部分を有し、穴７８の内側で２つの連続部分の間に肩部７９を画定する。おしどり用のねじ１２の頭部は、２つの連続部分、すなわち、第１の直径の第１の端部部分８０と、第１の部分の直径および肩部７９の直径より大きい第２の直径の第２の部分８１と、を備える。したがって、受７６が中間受２７上に配置されると、その位置からおしどり用のねじ１２を取り外すことができない。しかし、受７６の上面８２からおしどり用のねじ１２の頭部に接近することができ、従来の態様では、おしどり用のねじを緩めて、巻上げ用巻真を外し、ムーブメントをケースから取り外すことができる。おしどり用のねじ１２が依然として、その軸方向の整備位置、受７６によって保持される場所にあるため、この種の動作中、おしどり用のねじ１２を緩めることにより、地板１の方向における間隙で、おしどりの並進移動を生じる。
【００４９】
受７６が所定の位置にあるとき、その位置からおしどり用のねじ１２を取り外すことができないという事実により、ムーブメントをケースから取り外すときの紛失を回避することができる。
【００５０】
図４ｂは、図２の平面に垂直であり、Ｌ２で参照される線を含む平面におけるおしどり７の横側面の図を示しており、おしどり７に対して地板１によって提供される支持の欠如およびロッカ１９とおしどり７の相互作用がさらに明確に示されている。
【００５１】
一般的に言えば、おしどりは実際には地板に完全に載っているのに対し、図４ｂではおしどり７の第２の部分１５のすべてが地板１またはムーブメントの任意の他の固定構成要素に載っているとは限らない。しかし、本発明による特性、特に図４ａに関連して述べたような特性によって、おしどり７の安定性および位置決めは、その主要な機能、すなわちロッカ１９の枢動を制御する機能を実現することができるように保証されている。この目的のために、おしどり７は、その植込みボルト１７によってロッカ１９の溝１８と連係される。
【００５２】
一般に、すべての図面に関連して、巻上げ用巻真２８の位置に応じて、おしどりはまた、２つの極端な位置、一方の巻き上げ位置および他方の針の位置合わせ位置を採用してもよいことを理解されよう。溝１８の特定の形態は、おしどりの極端な位置に対応する停止位置を画定する。
【００５３】
おしどり７がその巻上げ位置に向かって移動するとき、その第２の部分１５は、ロッカ１９の溝１８におけるこの方向における引張力を用いることによって地板１から遠ざかる。したがって、溝１８が形成されるロッカ１９の当該部分もまた、地板１から遠ざかる。したがって、この位置では第１の小鉄車５１もまた、地板から遠ざかることから、第２の小鉄車５２を噛合することはない。さらに、ロッカの他の側面は、地板１に近づき、香箱の爪車６８と巻上げ小鉄車５５の噛合を可能にする。
【００５４】
巻上げ用巻真２８のこの位置およびロッカ１９の対応する位置では、巻上げ用巻真の任意の回転移動により、香箱の爪車６８の回転を生じ、香箱６７の主ばねを巻き上げる。さらに正確に言えば、周知の態様では、中間車７２と小鉄車５５との間にラチェット機構を設けることが好ましい。したがって、香箱の爪車６８は、香箱の爪車６８のばね２５およびラチェット機構（図示せず）の作用の複合効果によって、時計回り方向において巻上げ用巻真の回転移動中のみ共に運ばれる。
【００５５】
巻上げ用巻真２８が引き抜かれると、溝３２によっておしどり７の植込みボルト１０を共に運ぶ。次に、おしどりは、おしどり用のねじ１２で枢動し、その第２の部分１５が地板１に近づく。
【００５６】
おしどり７の枢動中、植込みボルト１７は、ロッカ１９の溝１８に力を印加し、チューブ５６を中心にしたロッカ１９の枢動を生じる。この枢動において、第１の小鉄車５１は地板１にさらに近づき、巻上げ小鉄車５５は地板１から遠ざかる。第１の小鉄車５１は針の位置合わせのために第２の小鉄車５２と噛合するようになり、小鉄車５５は香箱の爪車６８から分離する。
【００５７】
この位置では、１方向または他の方向における巻上げ用巻真２８の回転移動は、２つの小鉄車５２および５３による基準歯車の回転および筒車６５の対応する回転を生じ、ムーブメントが用いられる計時器の針の位置合わせを行う。当然のことながら、この場合には、二番車６６の領域に生じることが好ましい摩擦もまた、針位置合わせ動作中の歯車列に生じうる損傷を防止することができる。
【００５８】
図５は、図２の平面に垂直であり、線Ｌ３を含む平面における横断面図における本発明によるムーブメントの好ましい変形実施形態を示す。
【００５９】
この図からムーブメントの内側に位置する針回し用巻真の部分がどれほど短く、構造を精巧にならしめるかが特に明白である。
【００６０】
この変形実施形態によれば、竜頭ピニオン３４は、穴３４ａと同軸であり、ムーブメントの内側の方向に向けられるチューブ３４ｂを備える。チューブ３４ｂの外径は、補足要素３５の穴３６の直径よりわずかに小さく、チューブ３４ｂは穴３６の中に挿入される。この有利な特性によって、チューブ３４ｂは、地板に対して竜頭ピニオン３４を安定化させるのに役立つ。
【００６１】
チューブ３４ｂの内部断面は、穴３４ａの断面と同一であり、チューブ３４ｂの内部形状は実質的に、巻上げ用巻真２８のスクエア３３の形状を補完する。チューブ３４ｂおよびスクエア３３のそれぞれの寸法は、わずかな間隙がそれらの間に設けられることが好ましいようになっている。
【００６２】
さらに、図５において、チューブ５６は、そのダイヤルサイドから地板１に係合する座面ねじ８３の軸部と相互に作用する中央のねじ穴を有することもまた留意されたい。
【００６３】
地板に対するねじの位置決めを保証するために、ポスト８４がねじ８３の頭部と地板１との間に介在するチューブ５６の周囲に配置される。その軸部に対して比較的広く、一部が２つの座面の間に位置するねじ８３の頭部により、その固定度を強化することができる。さらに、ポスト８４は２つの座面を有し、その間に回転自在のロッカ１９が配置され、軸方向におけるロッカ１９の保持を保証することが観察されよう。
【００６４】
さらに、ポスト８４は支持面８５を有し、支持面８５に対して丸穴車６９が装着され、チューブ５６の軸に対する回転が自在となっている。丸穴車６９の軸方向の保持もまた、座面ねじ８３の頭部によって行われ、その中心位置調整はポスト８４によって行われる。
【００６５】
上記の説明から、本発明によるムーブメントの特性により、ムーブメントの支持要素の寸法が著しく小さい場合であっても、ムーブメント、とりわけ、針回し用巻真およびおしどりの円滑な機能に不可欠な機能を実現する一定の可動部品の十分な位置決めおよび適切な案内を保証することができる。
【００６６】
上記の説明は、限定しない例によって説明される本発明の好ましい実施形態に対応する。特に、ムーブメントの種々の構成要素に関して図示および説明された形態に限定されるわけではない。
【００６７】
例によって、当業者は、本発明の範囲を逸脱することなく、ロッカの十分な安定性を保証するために、アーム７３に対する代替手段を実装する際に、特に問題に遭遇することはないであろう。
【００６８】
さらに、おしどり用のねじ１２は、おしどり７の中にねじ切られ、受７６によって軸方向に保持されるロッドと交換し、おしどりに対して保持されるばねが溝３２と嵌合する植込みボルト１０を保持することも可能である。次に、ロッドの圧力がばねを変形し、おしどりの針回し用巻真２８を開放することができる。
【図面の簡単な説明】
【００６９】
【図１】本発明の好ましい実施形態による受側の計時器ムーブメントの一部の簡略化した分解立体図を示す。
【図２】その構成要素が組立てられたとき、図１に示されるムーブメントの一部の簡略化した平面図を示す。
【図３】完成時のムーブメントのダイヤルサイドの平面図である。
【図４ａ】図１の線Ｌ１に沿った前図に示されるムーブメントの第１の構造的詳細の横断面における簡略図である。
【図４ｂ】図２の線Ｌ２に沿った前図に示されるムーブメントの第２の構造的詳細の横断面における簡略図である。
【図５】好ましい変形実施形態による前図に示されるムーブメントの第３の構造的詳細の横断面における簡略図であり、図２の線Ｌ３に沿った断面を示す。
【符号の説明】
【００７０】
１  地板
２  第１の横端部分
３  第２の横端部分
４  タップ付ポスト
５  タップ付ポスト
６  凹部
７  おしどり
８  第１の部分
９  第１の自由端
１０  第１の針回し用巻真の植込みボルト
１１  ねじ穴
１２  おしどり用のねじ
１３  エルボ
１４  タング
１５  第２のおしどり部分
１６  第２の自由端
１７  第２の植込みボルト
１８  溝
１９  ロッカ
２０  裏押さえ
２１  第１の主穴
２２  補助ポスト
２３  第２の穴
２４  ノーズ
２５  ばね
２６  ノーズ
２７  中間受
２８  針回し用巻真
２８ａ  円筒形部分
２９  穴
３０  穴
３１  リング
３２  溝
３３  スクエア
３４  竜頭ピニオン
３４ａ  穴
３４ｂ  チューブ
３５  補足要素
３６  穴
３７  ラグ
３８  チューブ
３９  ねじ
４０  穴
４１  ねじ山
４２  自由端
４３  穴
５０  凹部
５１  第１の小鉄車
５２  第２の小鉄車
５３  第３の小鉄車
５４  小板
５５  巻上げ小鉄車
５６  チューブ
６０  天府
６１  天府ばね
６２  がんぎ車
６３  日の裏車
６４  減速車
６５  筒車
６６  二番車
６７  香箱
６８  香箱の爪車
６９  丸穴車
７０  第１の針位置合わせ車
７１  第２の針位置合わせ車
７２  中間車
７３  アーム
７４  小板
７５  円筒部品
７６  受
７７  ねじ
７８  穴
７９  肩部
８０  第１の端部分
８１  第２の端部分
８２  上面
８３  座面ねじ
８４  ポスト
８５  支持面
Ｌ１  線
Ｌ２  線
Ｌ３  線
【図１】
2006284585.tif 000003
【図２】
2006284585.tif 000004
【図３】
2006284585.tif 000005
【図４ａ】
2006284585.tif 000006
【図４ｂ】
2006284585.tif 000007
【図５】
2006284585.tif 000008
【外国語明細書】
2006284585.tif 000009
2006284585.tif 000010
2006284585.tif 000011
2006284585.tif 000012
2006284585.tif 000013
2006284585.tif 000014
2006284585.tif 000015
2006284585.tif 000016
2006284585.tif 000017
2006284585.tif 000018
2006284585.tif 000019
2006284585.tif 000020
2006284585.tif 000021
2006284585.tif 000022
2006284585.tif 000023
2006284585.tif 000024
2006284585.tif 000025
2006284585.tif 000026
2006284585.tif 000027
2006284585.tif 000028
2006284585.tif 000029